(57)【特許請求の範囲】
【請求項１】
主軸に軸承された回転工具（３）の直径方向の前面を保護する工具ガード基部材（Ａ）の左右の側壁に前記回転工具（３）の厚み方向をガードする工具ガード左側部材（Ｂ）および工具ガード右側部材（Ｃ）を固定し、かつ、工具ガード基部材（Ａ）の頭頂部を工具ガード頭蓋（Ｄ）で閉鎖した底部開放函（３０）と、
工具ガード底部材（Ｆ）の底板（Ｆ０）を係止する係止材（Ｅ１）を下部に備える回転工具（３）下位部分を蓋う工具ガード前補助部材（Ｅ）と、この工具ガード前補助部材（Ｅ）の下部を蝶番（４１，４１）で前記底板（Ｆ０）に固定し、この底板（Ｆ０）の左右端より左右の側壁（Ｆ１，Ｆ２）を起立して設けた工具ガード底部材（Ｆ）とからなる回転開閉蓋体（４０）を備える回転工具保護カバー装置（１２）であって、
前記回転開閉蓋体（４０）を構成する工具ガード前補助部材（Ｅ）の上方部は、蝶番（４２）により前記工具ガード基部材（Ａ）の下方部に回転自在に固定され、工具ガード前補助部材（Ｅ）の前面中央部には流体駆動シリンダ装置（５０）のロッド（５１）先端に取り付けられた二山ジョイントナックル（５２）をブラケット（５３）で固定し、
前記流体駆動シリンダ装置（５０）の筒部（５４）は前記工具ガード基部材（Ａ）の上方部でブラケット（５５）により支持されている、
ことを特徴とする回転工具保護カバー装置（１２）。
【発明の詳細な説明】
【技術分野】
【０００１】
本発明は、砥石車、ダイシング回転刃、プロファイル成形砥石などの回転工具保護カバー装置に関する。
【背景技術】
【０００２】
半導体基板のダイシング装置、コネクタのプロファイル成形装置、Ｔダイの平面研削装置、ロータリー平面研削装置などの工作機械は、ワークを載置するテーブルが左右往復移動または回転移動するように設置されるとともに、主軸に回転工具を軸承したツール頭を備えている。これら工作機械は、作業者の身を回転工具か守るため回転工具保護カバー装置が設けられている。この回転工具保護カバー装置は、例えば、特開平５−７７１６４号公報（特許文献１）、特開２００６−６２０２８号公報（特許文献２）に開示されるように砥石車や回転刃の直径方向下１／６〜１／５程度が底開放型保護カバー装置の下位部分よりはみ出してツール軸に軸承されており、ワークテーブルにワークを載置後、ワークの機械加工に直に取り掛かれるようになっている。
【０００３】
図５は、特開２００６−６２０２８号公報に開示される砥石保護カバー１２で、砥石軸１３に固定された砥石車３を底部が空いている保護カバー１２で囲繞する砥石保護カバーであって、その砥石保護カバー１２の砥石車の回転方向側壁下部には、飛散防止カバー１２ａが上下に昇降可能に設けられ、かつ該飛散防止カバーの底部には砥石車の回転方向に向かって水平方向に跳ね返し板１２ｆが固定されている砥石保護カバー１２である。
【０００４】
これら工作機械は、作業者の身を回転工具から２重に守るため、特開２００６−６８８６１号公報（特許文献３）、特開２００６−１７５５２７号公報（特許文献４）に開示されるように工作機械全体が密閉カバー装置や安全扉で保護され、ドアロック装置が解除されなければ安全扉は開かれないような構造を採っている。
【０００５】
一方、ナイフ刃先、鋏みの刃先、工具刃先を研ぐ卓上研削盤（シャープナー）は、ワーク（ナイフ、鋏みなど）を固定するワークレストは直線移動や回転移動せず、小型であり、卓上研削盤の砥石車の回転駆動がなされていないときは砥石車全体を閉鎖蓋で閉鎖する構造を採用している。例えば、特開平１０−１５６７２１号公報（特許文献５）は、円板状の砥石の中心孔に駆動源の駆動軸を嵌挿し、その貫通した駆動軸の露出部分をナットで締付けて駆動軸に砥石車を固定し、この砥石車全体を覆い、研削作業用の開口部を有するカバーを備えたグラインダー（研削盤）において、前記カバーの開口部に摺動自在でかつ作業部分の露出した砥石車を覆うことが可能な開閉蓋と、前記駆動源の起動スイッチの動作に関連して前記開閉蓋を研削作業ができるように開状態に保持固定し、前記駆動源の停止スイッチを動作した時に前記開閉蓋の保持固定状態が解除され、前記開閉蓋が摺動し、前記カバーの開口部を閉状態に保持することを特徴とするグラインダーの安全カバー装置を提案している。
【先行技術文献】
【特許文献】
【０００６】
【特許文献１】特開平５−７７１６４号公報
【特許文献２】特開２００６−６２０２８号公報
【特許文献３】特開２００６−６８８６１号公報
【特許文献４】特開２００６−１７５５２７号公報
【特許文献５】特開平１０−１５６７２１号公報
【発明の概要】
【発明が解決しようとする課題】
【０００７】
前記工作機械は、上述したように回転工具から作業者の身体を守るために２重の安全対策がなされている。しかし、作業者がドアロックを外し、回転工具の稼動を停止させ、新しいワークをワークテーブルに固定する作業を行うときや、ツール軸の補修工事、ドレッサの取り換え作業を行うときに身をワークテーブル上に乗り出して行うことがあり、作業に夢中になって回転工具の存在を忘れ回転工具に頭や顔を接触して傷を生じたり、頭毛を切り落とす危惧があるとして回転工具全体を卓上研削盤のように蓋う構造として欲しいという要望が機械加工メーカからあった。特に、回転刃の厚みが１０〜５０μｍと極薄のダイシング装置やプロファイル成形装置では、機械メンテナンス作業の際に回転刃が破損されるのを極力嫌う。
【０００８】
卓上研削盤の３／４寸法の開閉蓋覆い蓋は、操作棒で回転させる構造のものも提案されているが、砥石石車を蓋う部分が砥石車右上１／４部分であり、工作機械の回転工具の下１／６〜１／５部分ではないので、直ちに応用できるものではない。
【０００９】
左右方向に往復反転するワークテーブルが使用される平面研削装置やプロファイル成形装置においては、砥石車の安全カバー前面に操作棒を取り付けるのは、加工作業の障害となる。
【００１０】
本発明は、メンテナンス作業やワークの固定、ドレッサの取り換え作業のように回転工具が不作動であるときは、底カバー部材を保護カバー前面位置より折り返して回転工具下位１／６〜１／５部分を蓋って作業者の身体を回転工具から守り、回転工具が作動中であるときは前記底カバー部材を回転工具下位１／６〜１／５部分を蓋う底カバー部材を保護カバー前面位置に折り返して保存しワークの機械工作に障害をもたらさない回転工具保護カバー装置の提供にある。
【課題を解決するための手段】
【００１１】  請求項１の発明は、主軸に軸承された回転工具（３）の直径方向の前面を保護する工具ガード基部材（Ａ）の左右の側壁に前記回転工具（３）の厚み方向をガードする工具ガード左側部材（Ｂ）および工具ガード右側部材（Ｃ）を固定し、かつ、工具ガード基部材（Ａ）の頭頂部を工具ガード頭蓋（Ｄ）で閉鎖した底部開放函（３０）と、
工具ガード底部材（Ｆ）の底板（Ｆ０）を係止する係止材（Ｅ１）を下部に備える回転工具（３）下位部分を蓋う工具ガード前補助部材（Ｅ）と、この工具ガード前補助部材（Ｅ）の下部を蝶番（４１，４１）で前記底板（Ｆ０）に固定し、この底板（Ｆｏ）の左右端より左右の側壁（Ｆ１，Ｆ２）を起立して設けた工具ガード底部材（Ｆ）とからなる回転開閉蓋体（４０）を備える回転工具保護カバー装置（１２）であって、
前記回転開閉蓋体（４０）を構成する工具ガード前補助部材（Ｅ）の上方部は、蝶番（４２）により前記工具ガード基部材（Ａ）の下方部に回転自在に固定され、工具ガード前補助部材（Ｅ）の前面中央部には流体駆動シリンダ装置（５０）のロッド（５１）先端に取り付けられた二山ジョイントナックル（５２）をブラケット（５３）で固定し、
前記流体駆動シリンダ装置（５０）の筒部（５４）は前記工具ガード基部材（Ａ）の上方部でブラケット（５５）により支持されている、
回転工具保護カバー装置（１２）にある。
【発明の効果】
【００１２】
回転工具保護カバー装置（１２）の流体駆動シリンダ装置のロッド（５１）を上昇させることにより回転開閉蓋体（４０）の工具ガード前補助部材（Ｅ）は蝶番（４２）の軸廻りに回転して上方に引き上げられ、工具ガード前補助部材（Ｅ）の下部に設けられた係止材（Ｅ１）により係止されている工具ガード底部材（Ｆ）も蝶番（４１）の軸廻りに回転して工具ガード前補助部材（Ｅ）と一緒に上方に引き上げられる。メンテナンス作業時、回転工具は回転工具保護カバー装置（１２）により回転工具全体が閉鎖されるので、回転工具が直接、作業者の身体を傷つけることはない。
【図面の簡単な説明】
【００１３】
【図１】図１は回転工具保護カバー装置の正面図である。
【図２】図２は回転工具保護カバー装置の側面図である。
【図３】図３は回転工具保護カバー装置の工具ガード頭蓋の平面図である。
【図４】図４は回転工具保護カバー装置の底面図である。
【図５】図５は工作機械の砥石車の砥石保護カバーの斜視図である。(公知)
【図６】図６は砥石保護カバーの底開放斜視図である。
【図７】図７は砥石保護カバーの底閉鎖斜視図である。
【発明を実施するための形態】
【００１４】
図１、図２、図３および図４に示すように本発明の回転工具保護カバー装置１２は、回転工具（砥石車）３の直径方向の前面を保護する工具ガード基部材（Ａ）の左右の側壁に回転工具３の厚み方向をガードする工具ガード左側部材（Ｂ）および工具ガード右側部材（Ｃ）を固定しかつ工具ガード基部材（Ａ）の頭頂部を工具ガード頭蓋（Ｄ）で閉鎖した底部開放函３０と、下部に係止材（Ｅ１，Ｅ１，Ｅ１）を備える回転工具下位部分を蓋う工具ガード前補助部材（Ｅ）とこの工具ガード前補助部材（Ｅ）の下部に蝶番４１，４１で底板（Ｆ０）を固定した左右側壁（Ｆ１，Ｆ２）を起立して設ける工具ガード底部材（Ｆ）とからなる回転開閉蓋体４０を備える回転工具保護カバー装置１２である。
【００１５】
前記回転開閉蓋体４０を構成する工具ガード前補助部材（Ｅ）の上方部は、蝶番４２，４２により前記工具ガード基部材（Ａ）の下方部に回転自在に固定され、工具ガード前補助部材（Ｅ）の前面中央部には流体駆動シリンダ５０のロッド５１先端に取り付けられた二山ジョイントナックル５２をブラケット５３でスペーサー５６を介して固定し、前記流体駆動シリンダ装置５０の筒部５４は前記工具ガード基部材（Ａ）の上方部でブラケット５５により支持されている。
【００１６】
図１中、１１は研削液供給ノズルである。
【００１７】
ワークの機械加工に先立ち、上記回転工具保護カバー装置１２の流体駆動シリンダ装置のロッド５１を空気圧または油圧で上昇させることにより回転開閉蓋体４０の工具ガード前補助部材（Ｅ）は蝶番４２，４２の軸廻りに回転して上方に引き上げられ、工具ガード前補助部材（Ｅ）の下部に設けられた係止材（Ｅ１，Ｅ１，Ｅ１）により係止されている工具ガード底部材（Ｆ）も蝶番４１，４１の軸廻りに回転して工具ガード前補助部材（Ｅ）と一緒に上方に引き上げられ、砥石車３の下部分が回転工具保護カバー装置の工具ガード基部材（Ａ）下方より下位置となる（図２および図６参照）。
【００１８】
メンテナンス作業を行うに当たって、上記回転工具保護カバー装置１２の流体駆動シリンダ装置のロッド５１を空気圧または油圧で下降させることにより回転開閉蓋体４０の工具ガード前補助部材（Ｅ）は蝶番４２，４２の軸廻りに逆方向に回転して下方に引き下げられ、工具ガード前補助部材（Ｅ）の下部に設けられた係止材（Ｅ１，Ｅ１，Ｅ１）により係止されている工具ガード底部材（Ｆ）も蝶番４１，４１の軸廻りに逆方向に回転して工具ガード前補助部材（Ｅ）と一緒に下方に引き下げられ、砥石車３の下部分が工具ガード底部材（Ｆ）により閉鎖される（図２および図７参照）。回転工具３は回転工具保護カバー装置１２により回転工具全体が閉鎖されるので、回転工具が直接、メンテナンス作業者の身体を傷つけることはない。
【産業上の利用可能性】
【００１９】
メンテナンス作業、ドレッサ交換作業、ワークの交換作業時の砥石車からの危険から開放される。
【符号の説明】
【００２０】
３  回転工具（砥石車）
１２  回転工具保護カバー装置  
Ａ  工具ガード基部材
Ｂ  工具ガード左側部材
Ｃ  工具ガード右側部材
Ｄ  工具ガード頭蓋
３０  底部開放函
Ｅ  工具ガード前補助部材
Ｆ  工具ガード底部材
５０  流体駆動シリンダ装置
【図１】
0005608405.tif 000002
【図２】
0005608405.tif 000003
【図３】
0005608405.tif 000004
【図４】
0005608405.tif 000005
【図５】
0005608405.tif 000006
【図６】
0005608405.tif 000007
【図７】
0005608405.tif 000008